(57)【要約】【課題】製造コストを低減できるだけでなく、安全且つ簡単に焼却廃棄することができるディスク収納ケースを提供する。【解決手段】表表紙部と裏表紙部と背表紙部とからなる紙製の表紙部材と、前記表表紙部と前記裏表紙部との間に綴じ込まれた紙製のディスク収納部材とを有する紙製のディスク収納ケースであって、ディスク収納部材は、紙製の台紙部材と、ディスクを収納すると共に支持するディスク支持領域を備え、ディスクの出入口となるディスク支持領域の一側縁部を除く周縁部が台紙部材に貼着されてディスクを取出し可能に収納するポケット部を形成する紙製のディスク支持部材とを有する。【選択図】図６
0003129211.tif 000002
【実用新案登録請求の範囲】
【請求項１】
表表紙部と裏表紙部と背表紙部とからなる紙製の表紙部材と、前記表表紙部と前記裏表紙部との間に綴じ込まれた紙製のディスク収納部材とを有する紙製のディスク収納ケースであって、
前記ディスク収納部材は、
紙製の台紙部材と、
ディスクを収納すると共に支持するディスク支持領域を備え、前記ディスクの出入口となる前記ディスク支持領域の一側縁部を除く周縁部が前記台紙部材に貼着されて前記ディスクを取出し可能に収納するポケット部を形成する紙製のディスク支持部材と、
を有するディスク収納ケース。
【請求項２】
前記ポケット部内における前記ディスクの情報記録面に面する領域に、前記情報記録面を保護する弾力性を備えた保護膜を有することを特徴とする請求項１に記載のディスク収納ケース。
【請求項３】
前記ディスク収納部材は、
収納した前記ディスクが前記ポケット部から脱落することを防止する紙製の脱落防止部材を有し、
前記脱落防止部材は、所定の面積を有し、前記ポケット部の開口部を開閉自在に被覆すると共に、その基端縁が前記台紙部材に貼着されていることを特徴とする請求項１又は請求項２に記載のディスク収納ケース。
【請求項４】
前記脱落防止部材は、ミシン目に沿って切離可能な情報記載部を有することを特徴とする請求項１〜３のいずれか１項に記載のディスク収納ケース。
【請求項５】
前記台紙部材は、その中央部に前記表紙部材へ綴じ合わされる綴部を有すると共に、当該綴部を挟んだ両側の領域に、前記ポケット部が配設されていることを特徴とする請求項１〜４のいずれか１項に記載のディスク収納ケース。
【請求項６】
複数の前記ディスク収納部材を有し、
各ディスク収納部材が、前記台紙部材の前記綴部同士で貼着され、当該綴部で折り返されて冊子状をなし、最も外側の前記綴部が前記背表紙部の内側に貼着されていることを特徴とする請求項５に記載のディスク収納ケース。
【請求項７】
前記ポケット部が、前記台紙部材の表裏両面にそれぞれ配設されていることを特徴とする請求項１〜６のいずれか１項に記載のディスク収納ケース。
【考案の詳細な説明】
【技術分野】
【０００１】
本考案は、ＣＤ、ＣＤＲ，ＤＶＤ等の光ディスクを収納するディスク収納ケースに関するものであり、特に、全ての構成部材が紙により形成されたディスク収納ケースに関するものである。
【背景技術】
【０００２】
従来、ＣＤ、ＣＤＲ、ＤＶＤ等の光ディスク（以下、「ディスク」という。）を収納するディスク収納ケースは、プラスチック等の合成樹脂により形成したものが一般的であった。
【０００３】
この一般的なディスク収納ケースは、内部にディスク一枚を収納可能な空間を有する合成樹脂により形成されたケース本体と、このケース本体の一端に回動自在に軸支され、ケース本体を開閉自在とした合成樹脂製の蓋体とにより構成していた。
【０００４】
この種のディスク収納ケースは、ディスクを衝撃から保護するために、ケース本体及び蓋体の各部位を比較的厚い合成樹脂製の板体により形成しており、蓋体を閉めた状態では、ディスクの厚さの略３倍程度の厚さを有する箱型形状をしていたため、複数枚のディスクを保管若しくは携帯する際に嵩張るという問題があった。
【０００５】
また、このディスク収納ケースは、全ての部材を合成樹脂で形成していたため、原材料である化石燃料の高騰等に起因して製造コストが増大するという問題があった。
【０００６】
このような問題を解消するディスク収納ケースとして、ディスクを収納する部分のみをプラスチックにより形成し、その他の部分を紙により形成してコストダウンを図ると共に、複数枚のディスクを簡単に収納することが可能なブック型のディスク収納ケースが考案されている（たとえば、特許文献１参照。）。
【特許文献１】特開２００５−８２６３号公報
【考案の開示】
【考案が解決しようとする課題】
【０００７】
ところが、上記従来のディスク収納ケースは、ディスクを収納する部分をプラスチックにより形成していたため、依然として製造コストの面では改良の余地があった。
【０００８】
しかも、廃棄する際には、プラスチックにより形成されているディスクを収納する部分と、紙により形成されているその他の部分とを分別して廃棄する必要があったため、廃棄する際に煩雑な作業を要するという問題があった。
【課題を解決するための手段】
【０００９】
そこで、請求項１に係る本考案では、表表紙部と裏表紙部と背表紙部とからなる紙製の表紙部材と、表表紙部と裏表紙部との間に綴じ込まれた紙製のディスク収納部材とを有する紙製のディスク収納ケースであって、ディスク収納部材は、紙製の台紙部材と、ディスクを収納すると共に支持するディスク支持領域を備え、ディスクの出入口となるディスク支持領域の一側縁部を除く周縁部が台紙部材に貼着されてディスクを取出し可能に収納するポケット部を形成する紙製のディスク支持部材とを有することとした。
【００１０】
また、請求項２に係る本考案では、請求項１に記載のディスク収納ケースにおいて、ポケット部内におけるディスクの情報記録面に面する領域に、情報記録面を保護する弾力性を備えた保護膜を有することを特徴とする。
【００１１】
また、請求項３に係る本考案では、請求項１又は請求項２に記載のディスク収納ケースにおいて、ディスク収納部材は、収納したディスクがポケット部から脱落することを防止する紙製の脱落防止部材を有し、脱落防止部材は、所定の面積を有し、ポケット部の開口部を開閉自在に被覆すると共に、その基端縁が台紙部材に貼着されていることを特徴とする。
【００１２】
また、請求項４に係る本考案では、請求項１〜３のいずれか１項に記載のディスク収納ケースにおいて、脱落防止部材は、ミシン目に沿って切離可能な情報記載部を有することを特徴とする。
【００１３】
また、請求項５に係る本考案では、請求項１〜４のいずれか１項に記載のディスク収納ケースにおいて、台紙部材は、その中央部に表紙部材へ綴じ合わされる綴部を有すると共に、当該綴部を挟んだ両側の領域に、ポケット部が配設されていることを特徴とする。
【００１４】
また、請求項６に係る本考案では、請求項５に記載のディスク収納ケースにおいて、複数の前記ディスク収納部材を有し、各ディスク収納部材が、台紙部材の綴部同士で貼着され、当該綴部で折り返されて冊子状をなし、最も外側の前記綴部が背表紙部の内側に貼着されていることを特徴とする。
【００１５】
また、請求項７に係る本考案では、請求項１〜６のいずれか１項に記載のディスク収納ケースにおいて、ポケット部が、台紙部材の表裏両面にそれぞれ配設されていることを特徴とする。
【考案の効果】
【００１６】
請求項１に係る本考案では、ディスク収納ケースを構成する部材を全て紙により形成したため、ディスク収納ケースの製造コストを低減することができるだけでなく、廃棄する際に安全且つ簡単に焼却廃棄することができる。
【００１７】
また、請求項２に係る本考案では、紙製のディスク収納ケースでありながら、ディスクにおける情報記録面を外的衝撃から好適に保護することができる。
【００１８】
また、請求項３に係る本考案では、ポケット部の開口部に脱落防止部材を配設したため、ディスク収納ケースを上下逆向きにしても、収納したディスクが脱落することがない。
【００１９】
また、請求項４に係る本考案では、脱落防止部材に、ミシン目に沿って切離可能な情報記載部を設けたため、収納しているディスクのタイトルや内容等を情報記載部に書き込むことができ、その後、別のディスクを収納する際には、ミシン目に沿って情報記載部を切り離し、残った脱落防止部材に、新たに収納したディスクのタイトルや内容等を書き込むことができる。
【００２０】
また、請求項５に係る本考案では、台紙部材の中央部に表紙部材へ綴じ合わされる綴部を設け、当該綴部を挟んだ両側の領域に、ディスク支持部材を配設したため、簡易な構造でありながら、複数枚のディスクを収納することができるディスク収納ケースとすることができる。
【００２１】
また、請求項６に係る本考案では、複数のディスク収納部材を備え、各ディスク収納部材が台紙部材の綴部同士で貼着されて、当該綴部で折り返されて冊子状をなし、最も外側の綴部を背表紙部の内側に貼着するように構成したため、簡易且つコンパクトな構造でありながら、さらに多数枚のディスクを収納することができる。
【００２２】
また、請求項７に係る本考案では、ディスク支持部材が、台紙部材の表裏両面にそれぞれ配設されているため、ディスク収納部材の構成部材数を可及的に減少させることができ、製造コストのさらなる低減と、収納可能なディスクの枚数のさらなる増加との両方を可能としたディスク収納ケースとすることができる。
【考案を実施するための最良の形態】
【００２３】
以下、本考案に係るディスク収納ケースの一実施形態について、図面を参照して具体的に説明する。図１は、本実施形態のディスク収納ケースの外観斜視図であり、図２は、ディスク収納ケースの表紙部材を示す説明図であり、図３は、ディスク収納ケースのディスク収納部材を示す説明図であり、図４は、ディスク収納ケースのディスク収納部材を構成する各部材を示す説明図であり、図５は、ディスク収納ケースの製造工程の一例を示す説明図であり、図６は、ディスク収納ケースの使用形態を示す説明図である。
【００２４】
図１に示すように、ディスク収納ケース１は、厚紙により形成した表紙部材２と、この表紙部材２に綴じ込まれた複数の紙製ディスク収納部材３とを有し、このディスク収納部材３にＣＤ、ＣＤＲ、ＤＶＤ等の光ディスク（以下、「ディスク」という。）を複数枚収納可能としたブック型のディスク収納ケースである。
【００２５】
このディスク収納ケース１の表紙部材２は、図２に示すように、厚さ１ｍｍ程度の一葉の紙（厚紙）により形成され、表表紙部２ａと裏表紙部２ｂと、これら表表紙部２ａと裏表紙部２ｂとの間を繋ぐ背表紙部２ｃとを備えている。
【００２６】
表表紙部２ａ及び裏表紙部２ｂは、それぞれ各辺が少なくともディスクの直径（１２０ｍｍ）よりも長い矩形状（正方形状）をしており、背表紙部２ｃは、その長辺が表表紙部２ａ及び裏表紙部２ｂの一辺と同じ長さであり、その短辺が冊子状にしたディスク収納部材３を綴じ込めるだけの長さ（例えば、３０ｍｍ）の矩形状（長方形状）をしている。
【００２７】
そして、この表紙部材２は、背表紙部２ｃの長辺を折り線として表表紙部２ａと裏表紙部２ｂとを互いに対向するように折り曲げて使用するものである。
【００２８】
また、ディスク収納部材３は、表表紙部２ａと裏表紙部２ｂとの間に綴じ込まれた状態で使用するものであり、複数枚のディスクを取出し可能に収納するものである。
【００２９】
このディスク収納部材３は、図３に示すように、表紙部材２と略同一形状の紙により形成された台紙部材４と、ディスクを収納すると共に支持するディスク支持領域５ａを備え、ディスクの出入口となるディスク支持領域５ａの一側縁部を除く周縁部が台紙部材４に貼着されてディスクを取出し可能に収納するポケット部５ｂを形成するディスク支持部材５と、収納したディスクがポケット部５ｂから脱落することを防止する脱落防止部材６とを備えている。
【００３０】
台紙部材４は、図４（ａ）に示すように、表紙部材２よりも薄い一葉の紙により形成されており、表紙部材２と略同一形状をしており、具体的には、その短辺を表紙部材２の短辺と同一の長さとし、その長辺を表紙部材２の長辺より若干短い長さとした矩形状（長方形状）をしている。
【００３１】
このように、台紙部材４の短辺を表紙部材２の短辺と同じ長さとすることによって、ディスク収納部材３を表紙部材２に綴じ、ディスク収納ケース１をブック型として自立させたときに、表紙部材２の下端と台紙部材４の下端が共に設置するため、ディスク収納ケース１を安定した状態で自立させることができる。
【００３２】
そして、この台紙部材４は、その中央部（表紙部材２と重ね合わせたときに背表紙部２ｃと重合する部分）に、表紙部材２又は他の台紙部材４へ綴じ合わされるための綴部４ａを有しており、この綴部４ａを挟んだ両側の領域がディスクを収納する際にディスク収納領域４ｂとして機能し、ディスク支持部材５を貼着した際にポケット部５ｂが配設される部分となる。
【００３３】
また、各ディスク収納領域４ｂの周縁部において、ディスクの出入口となる一側縁部（上端縁部）を除く部分と、ディスクの出入口となる部分のやや上側で脱落防止部材６を貼着する部分と、綴部４ａとに、接着材であるホットメルト１０を選択的に塗布しておく。このホットメルト１０としては、デンプンを原材料としたものを用いるようにしており、これにより、ディスク収納ケース１を廃棄する際に焼却しても有害なガスが発生しないようにしている。
【００３４】
さらに、この台紙部材４におけるディスク収納領域４ｂには、収納するディスクの情報記録面を保護する弾力性を備えた保護膜を形成するようにしている。すなわち、このディスク収納領域４ｂは、ポケット部５ｂ内におけるディスクの情報記録面に面する領域となりうるため、当該ディスク収納領域４ｂに弾力性を備えた保護膜を設けることによって、ディスクにおける情報記録面を外的衝撃から好適に保護することができるように構成している。
【００３５】
また、ディスク支持部材５は、図４（ｂ）に示すように、台紙部材４と同様の紙により形成されており、その中央部（台紙部材４と重ね合わせたときに台紙部材４の綴部４ａと重合する部分）に、綴部５ｃを有しており、この綴部５ｃを挟んだ両側に、台紙部材４に貼着されてディスクを収納すると共にディスクを支持するポケット部５ｂ（図３参照）を形成するディスク支持領域５ａを有している。
【００３６】
この各ディスク支持領域５ａは、一辺が少なくともディスクの直径よりも長い略矩形状の領域であり、特にディスクの出入口となる一側縁部に、略半円弧状の切欠部５ｄを有している。そして、このディスク収納ケース１に収納したディスクを取出す際には、この切欠部５ｄから露出しているディスクの一部に指を当ててディスクを取出すことができるようにしている。
【００３７】
しかも、このディスク支持領域５ａにおける台紙部材４と対向する面には、台紙部材４におけるディスク収納領域４ｂと同様に、収納するディスクの情報記録面を保護する弾力性を備えた保護膜を形成するようにしている。すなわち、このディスク支持領域５ａは、ポケット部５ｂ内におけるディスクの情報記録面に面する領域となりうるため、当該ディスク収納領域４ｂに弾力性を備えた保護膜を設けることによって、ディスクにおける情報記録面を外的衝撃から好適に保護することができるように構成している。
【００３８】
また、脱落防止部材６は、図４（ｃ）に示すように、ディスク支持部材５のディスク支持領域５ａを被覆可能な所定の面積を有する略矩形状の紙により形成されており、その上端縁部を台紙部材４におけるディスク収納領域４ｂの上端縁部に合わせて貼着することにより、ポケット部５ｂの開口部であるディスクの出入口を開閉自在に被覆するように配設されるものである。
【００３９】
また、この脱落防止部材６は、その中央を横断するようにミシン目６ａが形成されており、このミシン目６ａ沿って切離可能な情報記載部６ｂを備えている。この情報記載部６ｂは、ポケット部５ｂに収納したディスクに記録している情報のタイトル等を記載するために使用するものである。
【００４０】
この情報記載部６ｂは、上記のように、ミシン目６ａに沿って切り離すことができるため、ポケット部５ｂに新たに別のディスクを収納する場合には、脱落防止部材６から切り離し、情報記載部６ｂを切り離して残った部分の脱落防止部材６に、新たに収納するディスクに記録した情報のタイトル等を記載することができるように構成している。
【００４１】
また、この脱落防止部材６も紙製であるため、図４（ｃ）に示す脱落防止部材６のミシン目６ａよりも上の部分にも、情報を記載することが可能であり、この部分に関しても情報記載部６ｂとして機能させることができる。
【００４２】
なお、ここでは、脱落防止部材６に一本だけミシン目６ａを設けるようにしているが、このミシン目６ａは、脱落防止部材６を横断するように複数本並行に設けてもよく、そうすることにより、情報記載部６ｂを複数配設することができるので、異なる情報を記録したディスクの複数回の入れ替えにも対応することができる。
【００４３】
ここで、本実施形態のディスク収納ケース１を製造する工程について説明する。このディスク収納ケース１は、上記したように、図２に示した表紙部材２と、図４（ａ）に示した台紙部材４と、図４（ｂ）に示したディスク支持部材５と、図４（ｃ）に示した脱落防止部材６とをそれぞれ貼り合わせることによって製造する。
【００４４】
具体的には、図５に示すように、まず、幅が図４（ａ）に示した台紙部材４の長辺と同じ長で、長さが例えば１００ｍの厚紙からなるロール紙７を用意する。このロール紙７は、後の製造工程において、図５に示す複数の裁断箇所８（図５における一点鎖線）で裁断されて複数枚の台紙部材４となる。
【００４５】
次に、このロール紙７表面の所定位置（ディスク支持部材５を貼着する位置、「図４（ａ）、図５参照」）に接着材であるホットメルト１０を塗布すると共に、ディスク収納領域４ｂに収納するディスクの情報記録面を保護する弾力性を備えた保護膜を形成する。
【００４６】
次に、ホットメルト１０を塗布したロール紙７の表面の所定位置に、予め図４（ｂ）に示すような形状に形成した複数枚の紙製のディスク支持部材５を順次載置すると共に過熱処理して、ロール紙７上に順次ディスク支持部材５を貼着していく。
【００４７】
このとき、各ディスク支持部材５のディスク支持領域５ａにおける台紙部材４と対向する面には、予め収納するディスクの情報記録面を保護する弾力性を備えた保護膜を形成しておく。なお、図５では、説明を簡単にするために、ロール紙７の最も手前側部分を用いて一つのディスク収納部材３を製造している所を示すようにしているが、実際には、ロール紙７全体を用いて、複数のディスク収納部材３を一度に製造する。
【００４８】
次に、ロール紙７表面の所定位置（脱落防止部材６を貼着する位置「図４（ａ）、図５参照」）にホットメルト１０を塗布し、その後、ロール紙７の表面の所定位置に、予め図４（ｃ）に示すような形状に形成した複数枚の脱落防止部材６を順次載置すると共に加熱処理して、ロール紙７上に順次脱落防止部材６貼着していく。
【００４９】
次に、ディスク支持部材５及び脱落防止部材６を貼着したロール紙７の裏面側に関しても同様に、ホットメルト１０の塗布とディスク支持部材５の載置及び過熱処理を行うことにより、ロール紙７の裏面側に順次ディスク支持部材５を貼着させ、その後、同じくホットメルト１０の塗布と脱落防止部材６の載置及び加熱処理を行うことにより、ロール紙７の裏面側に順次脱落防止部材６を貼着させる。
【００５０】
次に、各ディスク支持部材の綴部５ｃにホットメルト１０を塗布した後、図５に示す各裁断箇所８を裁断することによって、複数のディスク収納部材３を製造する。このようにして製造された各ディスク収納部材３には、ポケット部５ｂが台紙部材４の表裏両面に綴部５ｃを挟んでそれぞれ配設される。
【００５１】
次に、こうして製造された各ディスク収納部材３を複数枚（例えば、３枚）重ね合わせると共に熱処理を行うことによって、各ディスク収納部材３がディスク収納部材３の綴部５ｃ同士で貼着され、その後、この複数枚重ね合わせた状態のディスク収納部材３を、綴部４ａ、５ｃで折り返すことにより１２枚のディスクを収納可能な冊子状にする。
【００５２】
最後に、この冊子状にしたディスク収納部材３のうち、最も外側におけるディスク支持部材５の綴部５ｃを、表紙部材２における背表紙部２ｃ内側に当接させて加熱処理することにより、最も外側の綴部５ｃが背表紙部２ｃ内側に貼着されて、図１に示すようなブック型のディスク収納ケース１が製造されることとなる。
【００５３】
こうして製造したディスク収納ケース１は、図６に示すようにして使用する。すなわち、ディスク９を収納する場合には、このブック型のディスク収納ケース１を開き、脱落防止部材６を上側へ捲り上げてポケット部５ｂの開口部を開放状態とし、開口部からポケット部５ｂへディスク９を挿入して収納する。その後、脱落防止部材６を元のように下側へ折り曲げて、ポケット部５ｂの開口部を閉塞状態にして、ディスク収納ケース１を閉じる。
【００５４】
このようにディスク９を収納するため、コンパクトな構造でありながら複数枚のディスク９を収納することができ、しかも、ディスク収納ケース１を閉じた状態では、脱落防止部材６がポケット部５ｂの開口部を閉塞状態としているため、当該ディスク収納ケース１の上下を反転させても、ポケット部５ｂからディスク９が脱落することがない。
【００５５】
さらに、このディスク収納ケース１は、上記したように、表紙部材２の短辺と、台紙部材４の短辺とを同じ長さとなるよう形成しているため、当該ディスク収納ケース１を閉じた状態で立てた場合に、表紙部材２及び台紙部材４の下端が共に接地することとなり、安定した状態で自立させることができ、平坦な所であれば任意の場所に保管することができる。
【００５６】
その上、このディスク収納ケース１では、台紙部材４におけるディスク収納領域４ｂと、ディスク支持部材５のディスク支持領域５ａにおける台紙部材４と対向する面とに、ディスク９の情報記録面を保護する弾力性を備えた保護膜を形成しているため、収納したディスク９の情報記録面を外的衝撃から好適に保護することができる。なお、本実施形態では、ポケット部５ｂの内側両面に保護膜を形成したが、この保護膜は台紙部材４におけるディスク収納領域４ｂと、ディスク支持部材５のディスク支持領域５ａにおける台紙部材４と対向する面とのうち、いずれか一方に設けてもよく、そうすることにより、ディスク収納ケース１の製造コストを低減することもできる。
【００５７】
以上説明してきたように、本実施形態のディスク収納ケース１は、構成部材の全てを紙により形成した部材を用いて製造し、しかも、接着材としてデンプンのみを原料とするホットメルト１０を使用しているため、製造コストを低減することができ、しかも、廃棄する場合に焼却しても有害なガスを発生させるおそれもない。
【００５８】
また、上記したように、ディスク収納ケース１を製造する際には、厚紙からなるロール紙７の表裏両面にディスク支持部材５と脱落防止部材とを順次貼着した後、裁断することによってディスク収納部材３を製造するので、一度に多数枚のディスク収納部材３を製造することができ、製造工程を簡略化することもでき、ディスク収納ケースを容易に大量生産することもできる。
【図面の簡単な説明】
【００５９】
【図１】本実施形態のディスク収納ケースの外観斜視図である。
【図２】ディスク収納ケースの表紙部材を示す説明図である。
【図３】ディスク収納ケースのディスク収納部材を示す説明図である。
【図４】ディスク収納ケースのディスク収納部材を構成する各部材を示す説明図である。
【図５】ディスク収納ケースの製造工程の一例を示す説明図である。
【図６】ディスク収納部材の使用形態を示す説明図である。
【符号の説明】
【００６０】
１  ディスク収納ケース
２  表紙紙部材
２ａ  表表紙部
２ｂ  裏表紙部
３ｃ  背表紙部
３  ディスク収納部材
４  台紙部材
４ａ  綴部
４ｂ  ディスク収納領域
５  ディスク支持部材
５ａ  ディスク支持領域
５ｂ  ポケット部
５ｄ  切欠部
５ｃ  綴部
６  脱落防止部材
６ａ  ミシン目
６ｂ  情報記載部
７  ロール紙
８  裁断箇所
９  ディスク
１０  ホットメルト
【図１】
0003129211.tif 000003
【図２】
0003129211.tif 000004
【図３】
0003129211.tif 000005
【図４】
0003129211.tif 000006
【図５】
0003129211.tif 000007
【図６】
0003129211.tif 000008